(57)【要約】【課題】本発明は、搬送経路を挟んで対向する一方の側から画像を読み取る第１画像読取部と、前記搬送経路を挟んで対向する他方の側から画像を読み取る第２画像読取部とを備え、原稿の一方の面と原稿の他方の面とをそれぞれ異なる読取条件で原稿の両面を読み取る画像読取装置において、第２画像読取部によって読み取られた読取データが全て出力されるまでの間に、記憶部に記憶される第１読取部が読み取った読取データの記憶容量を削減することを目的とする。  【解決手段】原稿の両面の読取条件をそれぞれ入力し、記憶容量が小さいとされる読取条件に対応する原稿の面が、第１画像読取部による読取面となるように原稿の載置方向を前記案内表示部に表示させる。そして、第１画像読取部は記憶容量が小さいとされる読取条件、第２画像読取部は記憶容量が大きいとされる読取条件をそれぞれ用いて原稿を読み取る。【選択図】図６
2011216983.tif 000002
【特許請求の範囲】
【請求項１】
給紙トレイに載置される原稿を搬送経路に沿って排紙トレイへ搬送する搬送部と、
前記搬送経路を挟んで原稿と対向し、その原稿の一方の側から画像を読み取る第１画像読取部と、
前記搬送経路を挟んで原稿と対向し、その原稿の他方の側から画像を読み取る第２画像読取部と、
前記原稿の両面の読取条件をそれぞれ入力する読取条件入力部と、
前記読取条件入力部で入力された一方の面の読取条件と他方の面の読取条件とで前記第１及び第２画像読取部が前記原稿を読み取るのに必要な記憶容量を比較する比較部と、
前記給紙トレイに載置する原稿の表裏についての載置方向を案内表示する案内表示部と、
前記比較部によって記憶容量が小さいとされる読取条件を前記第１画像読取部の読取条件とし、前記比較部によって記憶容量が大きいとされる読取条件を前記第２画像読取部の読取条件として、それぞれ設定する読取条件設定部と、
前記読取条件設定部で設定された読取条件の下で、前記第１画像読取部が読み取った画像の第１読取データと、前記第２画像読取部が読み取った画像の第２読取データとをそれぞれ記憶する記憶部と、
前記記憶部に記憶された読取データを出力する画像出力部と、
前記比較部によって記憶容量が小さいとされる読取条件に対応する前記原稿の面が、前記第１画像読取部による読取面となるように原稿の載置方向を前記案内表示部に表示させると共に、
前記記憶部に記憶される前記第２読取データを前記画像出力部を介して出力し、前記第２読取データの出力が完了するまでの間に前記記憶部に記憶される第１読取データを、その第２読取データの出力完了後、前記画像出力部を介して出力するように制御する制御部と、
を備えたことを特徴とする画像読取装置。
【請求項２】
請求項１記載の画像読取装置であって、
前記第２画像読取部は、前記第１画像読取部が設けられた位置より前記搬送経路の下流側の位置に設けられ、
前記制御部は、前記第１読取データは前記記憶部に前記原稿１枚分の画像が記憶され、前記第２読取データの出力完了後、前記前記第１画像読取部が読み取って前記記憶部に記憶された第１読取データを前記画像出力部が出力するように制御すること、
を特徴とする画像読取装置。
【請求項３】
請求項１記載の画像読取装置であって、
前記第２画像読取部は、前記第１画像読取部が設けられた位置より前記搬送経路の上流側の位置に設けられ、
前記制御部は、前記第２読取データの出力完了後、前記原稿の先端が前記第１画像読取部の読取位置に到達してから当該原稿の後端が前記第２画像読取部の読取位置を通過するまでの間に、前記第１画像読取部が読み取って前記記憶部に記憶された第１読取データを前記画像出力部が出力するように制御すること、
を特徴とする画像読取装置。
【発明の詳細な説明】
【技術分野】
【０００１】
本発明は、原稿の両面を読み取ることが可能な画像読取装置に関する。
【背景技術】
【０００２】
従来、自動原稿搬送装置（ＡＤＦ：Automatic Document Feeder）を備えた複写機やフ
ァクシミリなどの画像読取装置は、特許文献１に示されるように、読み取り前の原稿を載置する給紙トレイと、読み取り後の原稿を載置する排紙トレイと、原稿の表面側と裏面側を読み取る読取デバイスが、それぞれ設けられている。また、原稿の表面側と裏面側を読み取る読取デバイスは、原稿が搬送される搬送経路のそれぞれ異なる位置に設けられている。
【先行技術文献】
【特許文献】
【０００３】
【特許文献１】特開２００６−８６７３４号公報
【特許文献２】特開２００３−３０９７０３号公報
【０００４】
特許文献１では、原稿の裏面側を読み取る読取デバイスは、原稿の表側を読み取る読取デバイスが設置される位置より搬送経路の下流側に設置されている。また、特許文献１記載の画像読取装置と同様な構成で、特許文献２記載の画像読取装置は、原稿の表裏を読み取る際の読取条件を、それぞれ異なる読取条件で設定して、原稿の両面を読み取ることが可能である。その画像読取装置は、両方の読取デバイスの使用頻度の偏りを軽減するために、原稿を給紙トレイに載置する際の載置方法を案内表示することも可能である。
【０００５】
特許文献１記載の画像読取装置では、原稿の先端が原稿の裏面側を読み取る読取デバイスの読取位置に到達してから、当該原稿の後端が原稿の表面側を読み取る読取デバイスの読取位置を通過するまでの間、原稿の裏面の読取データをＲＡＭ等の記憶部に記憶しつつ表面の読取データをプリンタ等の出力部へ出力する。そして、その画像読取装置は、表面の読取データを出力後、その記憶部に記憶された裏面の読取データを出力部へ出力する。
【０００６】
また、特許文献１記載の画像読取装置と異なり、原稿の裏面を先に読み取り、原稿の表面を後で読み取るように読取デバイスが設置された画像読取装置の場合を例示する。その画像読取装置では、先に読み取られる原稿の裏面の読取データを１ページ分、記憶部に記憶する必要がある。すなわち、上述したいずれの構成の画像読取装置においても、裏面の読取データの一部或いは１ページ分を記憶部に記憶する必要がある。
【０００７】
また、一方の面がテキスト情報、他方の面が絵柄情報で構成されている原稿の両面を読み取る場合を挙げる。特許文献２記載の画像読取装置を用いて、一方の面のテキスト情報をモノクロや低解像度などの読取品質が低い読取条件、他方の面の絵柄情報をカラーや高解像度などの読取品質が高い読取条件で読み取る場合には、以下のような問題がある。
【０００８】
使用者がそのテキスト情報の面を裏面となるように給紙トレイに載置した場合と、使用者がその絵柄情報の面が裏面となるように給紙トレイに載置した場合とでは、高い読取品質で読み取る絵柄情報の面を裏面となるように給紙トレイに載置した場合の方が、上述した記憶部に記憶すべき裏面の読取データは多くなり、記憶部に占める割合も必然的に大きくなる。
【０００９】
すなわち、特許文献２記載の画像読取装置においても、原稿の載置の仕方（表裏面の方
向選択）によって、裏面の読取データを記憶部に記憶する際に必要とする記憶容量は大きく異なるので、裏面の読取データを記憶する記憶領域として容量最大のケースを想定した記憶容量を記憶部に確保する必要があった。
【発明の概要】
【発明が解決しようとする課題】
【００１０】
そこで、本発明は、搬送経路を挟んで対向する一方の側から画像を読み取る第１画像読取部と、前記搬送経路を挟んで対向する他方の側から画像を読み取る第２画像読取部とを備え、原稿の一方の面と原稿の他方の面とをそれぞれ異なる読取条件で原稿の両面を読み取る画像読取装置において、給紙トレイに載置する原稿の表裏についての載置方向を案内表示し、その載置方向に原稿が載置されることによって、第２画像読取部によって読み取られた読取データが全て出力されるまでの間に、記憶部に記憶される第１読取部が読み取った読取データの記憶容量を削減することを目的としてなされた。
【課題を解決するための手段】
【００１１】
上記目的を達成する為に、請求項１に記載の発明の画像読取装置は、給紙トレイに載置される原稿を搬送経路に沿って排紙トレイへ搬送する搬送部と、前記搬送経路を挟んで原稿と対向し、その原稿の一方の側から画像を読み取る第１画像読取部と、前記搬送経路を挟んで原稿と対向し、その原稿の他方の側から画像を読み取る第２画像読取部と、前記原稿の両面の読取条件をそれぞれ入力する読取条件入力部と、前記読取条件入力部で入力された一方の面の読取条件と他方の面の読取条件とで前記第１及び第２画像読取部が前記原稿を読み取るのに必要な記憶容量を比較する比較部と、前記給紙トレイに載置する原稿の表裏についての載置方向を案内表示する案内表示部と、前記比較部によって記憶容量が小さいとされる読取条件を前記第１画像読取部の読取条件とし、前記比較部によって記憶容量が大きいとされる読取条件を前記第２画像読取部の読取条件として、それぞれ設定する読取条件設定部と、前記読取条件設定部で設定された読取条件の下で、前記第１画像読取部が読み取った画像の第１読取データと、前記第２画像読取部が読み取った画像の第２読取データとをそれぞれ記憶する記憶部と、前記記憶部に記憶された読取データを出力する画像出力部と、前記比較部によって記憶容量が小さいとされる読取条件に対応する前記原稿の面が、前記第１画像読取部による読取面となるように原稿の載置方向を前記案内表示部に表示させると共に、前記記憶部に記憶される前記第２読取データを、前記画像出力部を介して出力し、前記第２読取データの出力が完了するまでの間に、前記記憶部に記憶される第１読取データを、その第２読取データの出力完了後、前記画像出力部を介して出力するように制御する制御部と、を備えたことを特徴としている。
【００１２】
また、請求項２に記載の発明の画像読取装置は、請求項１記載の画像読取装置であって、前記第２画像読取部は、前記第１画像読取部が設けられた位置より前記搬送経路の下流側の位置に設けられ、前記制御部は、前記第１読取データは前記記憶部に前記原稿１枚分の画像が記憶され、前記第２読取データの出力完了後、前記前記第１画像読取部が読み取って前記記憶部に記憶された第１読取データを前記画像出力部が出力するように制御することを特徴としている。
【００１３】
また、請求項３に記載の発明の画像読取装置は、請求項１記載の画像読取装置であって、前記第２画像読取部は、前記第１画像読取部が設けられた位置より前記搬送経路の上流側の位置に設けられ、前記制御部は、前記第２読取データの出力完了後、前記原稿の先端が前記第１画像読取部の読取位置に到達してから当該原稿の後端が前記第２画像読取部の読取位置を通過するまでの間に、前記第１画像読取部が読み取って前記記憶部に記憶された第１読取データを前記画像出力部が出力するように制御することを特徴としている。
【発明の効果】
【００１４】
請求項１に記載の画像読取装置は、使用者が、使用者が記憶容量が小さいとされる読取条件に対応する原稿の面を給紙トレイに載置した場合と、使用者が記憶容量が大きいとされる読取条件に対応する原稿の面を給紙トレイに載置した場合とでは、第１読取データとして記憶部に記憶される記憶容量が大きく異なる。使用者が記憶容量が大きいとされる読取条件に対応する原稿の面を給紙トレイに載置した場合の方が、使用者が記憶容量が小さいとされる読取条件に対応する原稿の面を給紙トレイに載置した場合より記憶部に記憶される記憶容量が大きい。
そこで、記憶容量が小さいとされる読取条件に対応する原稿の面が、第１画像読取部による読取面となるように原稿の載置方向を案内表示部に表示させることで、記憶部には、いずれかの読取条件で必要とされる最大の記憶容量を記憶部に常に確保しておく必要がない。そのため、本発明の画像読取装置は、第１読取データを記憶部に記憶する際に必要とされる記憶容量を削減することができる。
【００１５】
請求項２に記載の構成の画像読取装置では、第２画像読取部が、第１画像読取部が設けられた位置より搬送経路の下流側の位置に設けられている。記憶部に記憶される第１読取データは、原稿１枚分記憶されることとなる。
本発明の画像読取装置は、いずれかの読取条件で必要とされる最大の記憶容量を原稿１枚分、記憶部に確保する必要がなく、記憶容量が小さいとされる読取条件に基づく記憶容量を原稿１枚分記憶しておけばよい。
【００１６】
請求項３に記載の構成の画像読取装置では、第２画像読取部が、第１画像読取部が設けられた位置より搬送経路の上流側の位置に設けられている。そのため、記憶部に記憶される第１読取データは、原稿の先端が前記第１画像読取部の読取位置に到達してから当該原稿の後端が第２画像読取部の読取位置を通過するまでの間に、第１画像読取部によって読み取られる分となる。この構成の画像読取装置は、原稿１枚分より少ない前記第１画像読取部によって読み取られる分の第１読取データを記憶部に記憶することになる。
本発明の構成の画像読取装置は、記憶容量が小さいとされる読取条件に基づく記憶容量が前記第１画像読取部によって読み取られる分の記憶領域があればよい。そのため、本画像読取装置は、第１読取データを記憶部に記憶する際に必要とされる記憶容量を最も削減することができる。
【図面の簡単な説明】
【００１７】
【図１】複合機１を示す斜視図である。
【図２】第１実施形態の読取装置１０の断面を模式的に示す説明図である。
【図３】第２実施形態の読取装置１０の断面を模式的に示す説明図である。
【図４】複合機１の電気的な構成を示す回路ブロック図である。
【図５】搬送経路１１１上に搬送される原稿の両面を、読取装置１０が読み取る際の動作を示すタイミングチャート。（Ａ）第１実施形態、（Ｂ）第２実施形態をそれぞれ示す。
【図６】第１実施形態の読取装置１０における読取処理のフローチャート。
【図７】第２実施形態の読取装置１０における読取処理のフローチャート。
【図８】原稿の両面を読取る際の読取前処理を示すフローチャート。
【図９】一方の面がテキスト情報、他方の面が絵柄情報からなる原稿Ｐ。
【図１０】表示部２３に表示される（Ａ）原稿の一方の面の読取条件入力画面と、（Ｂ）原稿の他方の面の読取条件入力画面と、（Ｃ）給紙トレイ１１０の載置方法を表示する表示画面とをそれぞれ説明する説明図。
【図１１】ハガキモードが読取モードとして設定されたときの表示部２３に表示される（Ａ）読取条件入力画面と、（Ｂ）給紙トレイ１１０上の載置方法を表示する表示画面をそれぞれ説明する説明図。
【発明を実施するための形態】
【００１８】
以下、本発明の実施形態について図面を用いて説明する。尚、本発明の実施の形態は、下記の実施形態に何ら限定されることはなく、本発明の技術的範囲に属する限り種々の形態を採りうる。本形態は、原稿の画像を読み取り、コピー、ＦＡＸ、ＰＣ−スキャンなどの機能を実行することが可能な複合機（画像読取装置の一例）について説明する。
【００１９】
図１は、複合機１の概略構成を示す斜視図である。複合機１は、読取装置１０と、コピー、ＦＡＸ、ＰＣ−スキャンなどの機能を実行する実行部を有する本体部５とから構成されている。
【００２０】
本実施形態の読取装置１０は、装置本体２０と、この装置本体２０の上部に配置された自動原稿搬送装置（ＡＤＦ：Auto Document Feeder）３０とを備えている。このＡＤＦ３０は、原稿を載せる給紙トレイ１１０と、読み取った原稿を排紙する排紙トレイ１３０とを有している。
【００２１】
複合機１は、装置本体２０の更に下部には、本体部５を有する。そして、その本体部５には、読取装置１０で読み取った画像に対して、コピー、ＦＡＸ、ＰＣ−スキャンなどの機能を実行する各実行部がある。
【００２２】
ＡＤＦ３０は、装置本体２０に対して回動自在に設けられている。装置本体２０の上面は、ＡＤＦ３０により被覆される。そして、このＡＤＦ３０の前面側には、液晶ディスプレイからなる表示部２３（案内表示部の一例）と、スタートキー、ストップキー、テンキー等から構成されるボタン群からなる操作部２１（読取条件入力部の一例）とが設けられている。
【００２３】
[第１実施形態]
本発明の実施形態における第１実施形態の読取装置１０について、図２の読取装置１０の断面図を用いて説明する。
【００２４】
ＡＤＦ３０は、原稿が載置される給紙トレイ１１０と、原稿が排出される排紙トレイ１３０と、給紙トレイ１１０に載置された原稿を、搬送経路１１１に沿って搬送する搬送ローラ１２１〜１２７（搬送部の一例）を有している。また、ＡＤＦ３０は、搬送ローラ１２１〜１２７によって搬送された原稿を排紙トレイ１３０に搬送する排紙ローラ１２８、１２９を有している。
【００２５】
これ以降の説明において、原稿が給紙トレイ１１０に載置された際に、図２における上方向の原稿の面を原稿の表面とし、図２における下方向の原稿の面を原稿の裏面とする。
なお、後述する第２実施形態の図３においても上記と同じである。
【００２６】
この搬送経路１１１上には、搬送中の原稿の対応する位置を検知するためのセンサとして、Ｆセンサ３１０，ＲＢセンサ３２０，Ｒセンサ３３０が設けられている。
【００２７】
搬送経路には、原稿の裏面の画像の読み取りを行うための読取デバイス２１０（第１画像読取部の一例）が原稿押え２２０の対応する位置に、設けられている。原稿押え２２０は、通過する原稿を読取デバイス２１０の読取面に押圧するものである。なお、この読取デバイス２１０は、典型的にはＣＩＳ（Contact Image Sensor）やＣＣＤ（Charge Coupled Device）が採用される。
【００２８】
また、原稿の表面の画像の読み取りを行うために、装置本体２０に設けられた読取デバイス２３０（第２画像読取部の一例）が、原稿押え２４０の対応する位置に、設けられて
いる。なお、原稿押え２４０の対応する位置は、読取デバイス２１０が設けられた位置より搬送経路１１１上の下流側の位置である。
【００２９】
原稿押え２４０は、搬送経路１１１上の原稿押え２４０の対応する位置を通過する原稿を読取デバイス２３０の読取面に押圧するものである。なお、この読取デバイス２３０も典型的にはＣＩＳ（Contact Image Sensor） やＣＣＤ（Charge Coupled Device）が採用される。
【００３０】
上述したように、搬送経路１１１を挟んで原稿と対向する一方の側から、読取デバイス２１０によって原稿の裏面が読み取られる。そして、搬送経路１１１を挟んで原稿と対向する他方の側から、読取デバイス２３０によって原稿の表面が読み取られる。なお、原稿押え２２０、２４０は、所定の反射率を有する白板である。
【００３１】
[第２実施形態]
本発明の実施形態における第２実施形態の読取装置１０について、図３の画像読取１０の断面図を用いて説明する。上述した図２の第１実施形態の読取装置１０と次の構成が異なる。
【００３２】
第２実施形態の読取装置１０は、ＲＢセンサ３２０と、原稿押え２２０と、原稿の裏面の画像の読み取りを行う読取デバイス２１０とが、読取デバイス２３０が設けられた位置より搬送経路１１１上の下流側の位置に設けられている。その第２実施形態の構成が第１実施形態の構成と異なる。
【００３３】
上述した読取デバイス２１０と読取デバイス２３０の位置以外の構成は、第１実施形態及び第２実施形態でも同じ構成である。
【００３４】
読取装置１０は、ＡＤＦ３０が適用可能なものであれば如何なる構成のものであってもよい。なお、本実施形態は、本発明が装置本体２０及びこれに適用可能なＡＤＦ３０を有する複合機１０において実施される場合を例示するが、本発明は、トナーやインクなどの画像記録材を記録用紙に付着させて画像を記録する画像記録装置や、この画像記録装置において画像記録位置に記録用紙を搬送するシート搬送装置として実施されてもよい。
【００３５】
図４は、第１実施形態及び第２実施形態の複合機１の電気的な構成を示す回路ブロック図である。複合機１は、ＣＰＵ１００（比較部、読取条件設定部、制御部の一例）と、ＲＯＭ１０１と、ＲＡＭ１０２（記憶部の一例）と、デバイス制御部１０３と、画像形成部１０４と、画像処理部１０５と、ＵＳＢインターフェース１０６と、モデム１０７と、モータ１２０と、複合機１の各設定を入力することが可能な操作部２１と、それらの各構成を接続するバス１０９を有する。
【００３６】
また、複合機１は、更に、画像の読取りに関わる構成として、読取デバイス２１０（第１画像読取部の一例）、読取デバイス２３０（第２画像読取部の一例）と、ＡＦＥ回路２１１、２３１とを有する。
【００３７】
ＲＯＭ１０１には、複合機１を制御するための各種制御プログラムや各種設定、初期値等が記憶されている。ＲＡＭ１０２（記憶部の一例）は、各種制御プログラムが読み出される作業領域として、或いは、読取デバイス２１０と読取デバイス２３０とがそれぞれ読み取った原稿の画像の読取データが一時的に記憶する記憶領域として利用される。
【００３８】
ＣＰＵ１００は、ＲＯＭ１０１から読み出した制御プログラムに従って、その処理結果をＲＡＭ１０２に記憶させながら、バス１０９で接続されている各構成を制御する。
【００３９】
また、操作部２１（読取条件入力部の一例）はキーボード等からなる入力手段である。ユーザは、解像度やモノクロ、カラー等の原稿の画像を読み取る際の読取条件等を、操作部２１であるキーボード等を用いて、入力することができる。そして、入力された読取条件等は、一旦、ＲＡＭ１０２に記憶される。
【００４０】
ＣＰＵ１００は、原稿の画像を読み取る際に、ＲＡＭ１０２にアクセスして読取条件を入手する。ＣＰＵ１００は、デバイス制御部１０３に対して、その読取条件に基づいて指示をする。デバイス制御部１０３は、読取デバイス２１０、２３０毎にその読取条件に応じたモード信号（ＭＯＤＥ）を出力する。そして、読取デバイス２１０、２３０は、そのモード信号に応じて、解像度やモノクロ、カラー等の読取条件が設定される。
【００４１】
また、デバイス制御部１０３は、読取デバイス２１０、２３０を動作させるための基準クロックＣＬＫと、その基準クロックに基づいて１ライン周期のパルス信号ＳＰとを、それぞれ読取デバイス２１０及び２３０に与える。
【００４２】
また、デバイス制御部１０３は、バス１０９を介して、読取デバイス２１０、２３０と同様に基準クロックと１ライン周期のパルス信号とを、モータ１２０に入力する。モータ１２０は、ステッピングモータである。そのモータ１２０は、駆動信号の１パルスで１ステップの回転角度分、回転駆動する。そして、モータ１２０が１ステップ分駆動すると、各搬送ローラ１２１〜１２７が駆動し、搬送経路１１１上を原稿が所定距離だけ搬送される。
【００４３】
周知の構成である読取デバイス２１０、２３０は、光源（不図示）と、１列に複数配置されたフォトセンサ（不図示）とを有する。その光源が原稿に光を照射し、１列に配列されたフォトセンサが、原稿によって反射された反射光の光量を蓄積する。
【００４４】
そして、読取デバイス２１０、２３０は、読み取った原稿の読取データをアナログ信号で出力する。それぞれの読取デバイス２１０、２３０から出力された読取データは、それぞれに対応するＡＦＥ２１１、２３１（Ａｎａｌｏｇ  Ｆｒｏｎｔ  Ｅｎｄ）回路が有するＡ／Ｄ変換回路によってデジタル信号の読取データに変換される。なお、ＡＦＥ２１１、２３１は、周知のシェーディング補正等の読取に関する補正処理を実行した上で、デジタルの読取データに変換される。
【００４５】
そして、デジタル信号の読取データは、ＲＡＭ１０２に記憶される。そして、画像処理部１０５は、ＲＡＭ１０２に記憶された読取データを画像処理する。よって、複合機１は、コピー、ＦＡＸ、ＰＣ−スキャンなどの各機能を実行することができる。画像処理部１０５は、ＲＡＭ１０２に記憶された読取データを色変換処理や原稿を読み取った画像の拡大・縮小処理などの画像処理を実行する。
【００４６】
複合機１は、コピー、ＦＡＸ、ＰＣ−スキャンなどの各機能を実行することができる。複合機１がコピーの機能を実行する場合は、画像処理部１０５（画像出力部の一例）は画像処理した読取データを画像形成部１０４に出力する。本体部５に備え付けられた画像形成部１０４（画像出力部の一例）は、その読取データを、用紙に印刷する。なお、画像形成部１０４の画像形成方式は、周知の技術である電子写真方式であってもインクジェット方式であってもよい。
【００４７】
モデム１０７は、画像情報とその画像情報を送受信するための手順信号を送受信するものである。複合機１がＦＡＸの機能を実行する場合は、画像処理部１０５（画像出力部の一例）は画像処理した読取データを、モデム１０７に出力する。そして、モデム１０７は
、その読取データを送信用の画像情報とする。そして、モデム１０７は、ＮＣＵ１０８を介して、その読取データを相手先通信端末に送信する。なお、ＮＣＵ（網制御部）１０８は、電話回線３２と接続し、呼出信号の検出、発着信の際に必要な所定の回線制御を行うものである。
【００４８】
複合機１がＰＣスキャンの機能を実行する場合は、画像処理部１０５（画像出力部の一例）は画像処理した読取データを、ＵＳＢインターフェース１０６（端末接続部）に出力する。そして、ＵＳＢインターフェース１０６に接続されているパソコンなどの外部情報端末（不図示）に、その読取データが送信されることにより、ＰＣスキャンが実行される。
【００４９】
[読取装置１０の読取動作の説明]
次に、制御部として機能するＣＰＵ１００の制御によって、複合機１が原稿の両面を読み取る際の読取装置１０の動作について、説明する。
【００５０】
[第１実施形態]
まず、第１実施形態（図２）の読取装置１０の読取動作について図５（Ａ）と図６を用いて説明する。図５（Ａ）は、第１実施形態（図２）の読取装置１０のタイミングチャートである。図６は、そのタイミングチャートにおける制御部として機能するＣＰＵ１００のフローチャートである。なお、複合機１は、原稿の両面を読み取って、コピーの機能を実行するものとする。
【００５１】
ＣＰＵ１００が、原稿の読取動作の開始を、モータ１２０に指示する（Ｓ１０１、図５（Ａ）：時間Ｔ１）。すると、給紙トレイ１１０に載置された原稿が、搬送ローラ１２１〜１２７によって搬送経路１１１上に送られる。以後、原稿は、搬送ローラ１２１〜１２７の回転によって、１ステップ毎に搬送経路１１１上を搬送される。
【００５２】
次に、ＣＰＵ１００は、搬送経路１１１上の読取デバイス２１０の読取位置に該原稿が有るか否かを判断する（Ｓ１０２）。なお、Ｓ１０２の判断は、ＲＢセンサ３２０が原稿を検知したか否かに基づいて判断される。
【００５３】
次に、読取デバイス２１０の読取位置に原稿が無い場合（Ｓ１０２：ＮＯ）、ＣＰＵ１００は、搬送経路１１１上の読取デバイス２３０の読取位置に原稿が有るか否かを判断する（Ｓ１０３）。なお、Ｓ１０３の判断は、Ｒセンサ３３０が原稿を検知したか否かに基づいて判断される。
【００５４】
図５（Ａ）は、読取デバイス２１０、読取デバイス２３０の読取位置に原稿が有るか否かを示している。図５（Ａ）の時間Ｔ１からＴ２までの時間は、読取デバイス２１０、２３０の読取位置に原稿がない。なお、時間Ｔ２は、搬送経路１１１上の読取デバイス２１０の読取位置に該原稿の先端が到達した時間である。故に、時間Ｔ２に達するまで、ＣＰＵ１００は、Ｓ１０２：ＮＯ、Ｓ１０３：ＮＯの処理を繰り返す。
【００５５】
次に、読取デバイス２１０の読取位置に原稿が有る場合（Ｓ１０２：ＹＥＳ）であって、かつ、読取デバイス２３０の読取位置に原稿が無い場合（Ｓ１０４：ＮＯ）は、Ｓ１０５に進む。
【００５６】
ＣＰＵ１００は、読取デバイス２１０が原稿の裏面の画像を１ライン分読み取るように制御する。そして読み取られた裏面の読取データ（第１読取データの一例）は、ＡＦＥ２１１を介してＲＡＭ１０２に記憶される（Ｓ１０５）。
【００５７】
原稿の表面の画像出力処理が終了していない場合（Ｓ１０６：ＮＯ）、Ｓ１０２に戻る。時間Ｔ３は、搬送経路１１１上の読取デバイス２３０の読取位置に該原稿の先端が到達した時間である。時間Ｔ２〜時間Ｔ３の時間は、ＣＰＵ１００は、Ｓ１０５の処理を繰り返し実行する。
【００５８】
次に、読取デバイス２１０の読取位置に原稿が有る場合（Ｓ１０２：ＹＥＳ）であって、かつ、読取デバイス２３０の読取位置に原稿が有る場合（Ｓ１０４：ＹＥＳ）は、Ｓ１０７に進む。
【００５９】
Ｓ１０５と同様に、原稿の裏面の画像が１ライン分読み取られる。そして、その裏面の読取データは、ＡＦＥ２１１を介してＲＡＭ１０２に記憶される（Ｓ１０７）。また、ＣＰＵ１００は、読取デバイス２３０が原稿の表面の画像を１ライン分読み取るように制御する。そして読み取られた表面の読取データ（第２読取データの一例）は、ＡＦＥ２３１を介してＲＡＭ１０２に記憶される（Ｓ１０８）。
【００６０】
そして、ＣＰＵ１００は、画像処理部１０５を介して画像形成部１０４に出力するように制御する（Ｓ１０９）。すると、その画像処理された読取データは、画像形成部１０４によって印刷処理される。なお、ＲＡＭ１０２に記憶された表面の読取データは、画像処理部１０５に取り込まれた段階でＲＡＭ１０２から消去される。
【００６１】
原稿の表面の画像出力処理が終了していない場合（Ｓ１０６：ＮＯ）、Ｓ１０２に戻る。時間Ｔ４は、搬送経路１１１上の読取デバイス２１０の読取位置に該原稿の後端が到達した時間である。時間Ｔ３〜時間Ｔ４の時間の間、ＣＰＵ１００は、Ｓ１０７、Ｓ１０８、Ｓ１０９の処理が繰り返し実行される。
【００６２】
次に、読取デバイス２１０の読取位置に原稿がない場合（Ｓ１０２：ＮＯ）であって、かつ、読取デバイス２３０の読取位置に原稿が有る場合（Ｓ１０３：ＹＥＳ）は、Ｓ１１０に進む。
【００６３】
ＣＰＵ１００は、Ｓ１０８と同様に、読取デバイス２３０が原稿の表面の画像を１ライン分読み取るように制御する。そして読み取られた表面の読取データは、ＡＦＥ２３１を介してＲＡＭ１０２に記憶される（Ｓ１１０）。
【００６４】
ＣＰＵ１００は、画像処理部１０５を介して画像形成部１０４に出力するように制御する（Ｓ１１１）。
【００６５】
原稿の表面の画像出力処理が終了していない場合（Ｓ１０６：ＮＯ）、Ｓ１０２に戻る。時間Ｔ５は、搬送経路１１１上の読取デバイス２３０の読取位置に該原稿の後端が到達した時間である。時間Ｔ４〜時間Ｔ５の間、ＣＰＵ１００は、Ｓ１１０、Ｓ１１１の処理を繰り返し実行する。
【００６６】
そして、全ての原稿の表面の画像出力処理が終了した場合（Ｓ１０６：ＹＥＳ）、ＣＰＵ１００は、記憶部に記憶された裏面の読取データを、画像処理部１０５を介して画像形成部１０４に出力するよう制御する（Ｓ１１２）。
【００６７】
全ての裏面の読取データの出力が終了すれば（Ｓ１１３：ＹＥＳ）、本フローチャートの処理が終了する。
【００６８】
第１実施形態（図２）の読取装置１０では、図５（Ａ）の斜線が引かれた分、すなわち原稿１枚分の原稿の裏面の読取データが記憶される。一方、原稿の表面の読取データは、
画像処理部１０５に取り込まれた段階でＲＡＭ１０２から消去される。そのため、原稿の表面の読取データは、画像処理部１０５が画像処理するのに必要な数ライン分、記憶部に記憶されるだけである。
【００６９】
なお、本複合機１が、表面の読取データから印刷し、その後、裏面の読取データを印刷するのは、ユーザの利便性からである。
【００７０】
[第２実施形態]
次に、第２実施形態（図３）の読取装置１０の読取動作について図５（Ｂ）と図７を用いて説明する。図５（Ｂ）は、第２実施形態（図３）の読取装置１０のタイミングチャートである。図７は、そのタイミングチャートにおける制御部として機能するＣＰＵ１００のフローチャートである。
【００７１】
ＣＰＵ１００が、原稿の読取動作の開始を、モータ１２０に指示する（Ｓ２０１、図５（Ｂ）：時間Ｔ１’）。すると、給紙トレイ１１０に載置された原稿が、搬送ローラ１２１―１２７によって搬送経路１１１上に送られる。以後、原稿は、搬送ローラ１２１〜１２７の回転によって、１ステップ毎に搬送経路１１１上を搬送される。
【００７２】
次に、ＣＰＵ１００は、搬送経路１１１上の読取デバイス２３０の読取位置に該原稿が有るか否かを判断する（Ｓ２０２）。なお、Ｓ２０２の判断は、Ｒセンサ３３０が原稿を検知したか否かに基づいて判断される。
【００７３】
次に、読取デバイス２３０の読取位置に原稿が無い場合（Ｓ２０２：ＮＯ）、ＣＰＵ１００は、搬送経路１１１上の読取デバイス２１０の読取位置に原稿が有るか否かを判断する（Ｓ２０３）。なお、Ｓ２０３の判断は、ＲＢセンサ３２０が原稿を検知したか否かに基づいて判断される。
【００７４】
図５（Ｂ）の時間Ｔ２’は、搬送経路１１１上の読取デバイス２３０の読取位置に該原稿の先端が到達した時間である。故に、時間Ｔ２’に達するまで、ＣＰＵ１００は、Ｓ２０２：ＮＯ、Ｓ２０３：ＮＯの処理を繰り返す。
【００７５】
次に、読取デバイス２３０の読取位置に原稿が有る場合（Ｓ２０２：ＹＥＳ）であって、かつ、読取デバイス２１０の読取位置に原稿が無い場合（Ｓ２０４：ＮＯ）は、Ｓ２０５に進む。
【００７６】
ＣＰＵ１００は、読取デバイス２３０が原稿の表面の画像を１ライン分読み取るように制御する。そして読み取られた表面の読取データは、ＡＦＥ２３１を介してＲＡＭ１０２に記憶される（Ｓ２０５）。
【００７７】
ＣＰＵ１００は、ＲＡＭ１０２に記憶された表面のデータを画像処理部１０５を介して画像形成部１０４に出力するように制御する（Ｓ２０６）。
【００７８】
原稿の全ての面の画像出力処理が終了していない場合（Ｓ２０７：ＮＯ）、Ｓ２０２に戻る。時間Ｔ３’は、搬送経路１１１上の読取デバイス２１０の読取位置に該原稿の先端が到達した時間である。時間Ｔ２’〜時間Ｔ３’の時間の間、ＣＰＵ１００は、Ｓ２０５、Ｓ２０６の処理を繰り返し実行する。
【００７９】
次に、読取デバイス２３０の読取位置に原稿が有る場合（Ｓ２０２：ＹＥＳ）であって、かつ、読取デバイス２１０の読取位置に原稿が有る場合（Ｓ２０４：ＹＥＳ）は、Ｓ２０８に進む。
【００８０】
Ｓ２０５と同様に、ＣＰＵ１００は、読取デバイス２３０が原稿の表面の画像を１ライン分読み取るように制御する。そして読み取られた表面の読取データは、ＡＦＥ２３１を介してＲＡＭ１０２に記憶される（Ｓ２０８）。
【００８１】
ＣＰＵ１００は、読取デバイス２１０が原稿の裏面の画像を１ライン分読み取るように制御する。そして読み取られた裏面の読取データは、ＡＦＥ２１１を介してＲＡＭ１０２に記憶される（Ｓ２０９）。
【００８２】
Ｓ２０６と同様に、ＲＡＭ１０２に記憶された表面のデータをＣＰＵ１００は、画像処理部１０５を介して画像形成部１０４に出力するように制御する（Ｓ２１０）。
【００８３】
原稿の全ての面の画像出力処理が終了していない場合（Ｓ２０７：ＮＯ）、Ｓ２０２に戻る。時間Ｔ４’は、搬送経路１１１上の読取デバイス２３０の読取位置に該原稿の後端が到達した時間である。時間Ｔ３’〜Ｔ４’の時間の間、ＣＰＵ１００は、Ｓ２０８、Ｓ２０９、Ｓ２１０の処理を繰り返し実行する。
【００８４】
時間Ｔ３’〜Ｔ４’の時間の間、読取デバイス２１０で読み取られた裏面の読取データはＲＡＭ１０２に記憶される（図５（Ｂ）斜線領域）。
【００８５】
次に、読取デバイス２３０の読取位置に原稿が無い場合（Ｓ２０２：ＮＯ）であって、かつ、読取デバイス２１０の読取位置に原稿が有る場合（Ｓ２０３：ＹＥＳ）は、Ｓ２１１に進む。
【００８６】
Ｓ２０９と同様に、ＣＰＵ１００は、読取デバイス２１０が原稿の裏面の画像を１ライン分読み取るように制御する。そして読み取られた裏面の読取データは、ＡＦＥ２１１を介してＲＡＭ１０２に記憶される（Ｓ２１１）。
【００８７】
そして、ＣＰＵ１００は、Ｓ２０９の処理でＲＡＭ１０２に記憶された裏面の読取データから順次、画像処理部１０５を介して画像形成部１０４に出力するように制御する（Ｓ２１２）。
【００８８】
原稿の全ての面の画像出力処理が終了していない場合（Ｓ２０７：ＮＯ）、Ｓ２０２に戻る。時間Ｔ５’は、搬送経路１１１上の読取デバイス２１０の読取位置に該原稿の後端が到達した時間である。時間Ｔ４’〜Ｔ５’の時間の間、ＣＰＵ１００は、Ｓ２１１、Ｓ２１２の処理を繰り返し実行する。
【００８９】
そして、原稿の全ての面の画像出力処理が終了すると（Ｓ２０７：ＹＥＳ）、第２実施形態（図３）の読取装置１０の読取動作が終了する。
【００９０】
図５（Ｂ）の斜線が引かれた分は、原稿の先端が読取デバイス２１０の読取位置に到達してから当該原稿の後端が読取デバイス２３０の読取位置を通過するまでの間を示している。第２実施形態（図３）の読取装置１０は、図５（Ｂ）の斜線に相当する裏面の読取データを記憶部に記憶する。
【００９１】
なお、原稿の表面の読取データは、第１実施形態と同様に、画像処理部１０５が画像処理するのに必要な数ライン分、記憶部に記憶されるだけである。
【００９２】
次に、本発明の特徴的な構成について説明する。なお、以下の説明において、第１実施形態と第２実施形態とは特別なことわりがない限り共通である。図８は、使用者が複合機
１を利用して原稿の両面の画像を読取る際の読取処理フローチャートである。なお、上述した第１実施形態の図６のフローチャートと、第２実施形態の図７のフローチャートは、それぞれ後述する図８のＳ３１１の処理で行われる。
【００９３】
使用者は、操作部２１の入力手段を介して、複合機１の読取モードを設定する。すると、ＣＰＵ１００は、設定された読取モードを認識する（Ｓ３０１）。本実施形態では、読取モードの設定時に、コピー、ＦＡＸ、ＰＣ−スキャンなどの各機能のうち、いずれの機能を複合機１が使用するかが設定される。
【００９４】
図９は、一方の面（以後：テキスト面Ｐ１）がテキスト情報、他方の面（以後：絵柄面Ｐ２）が絵柄情報からなる原稿Ｐである。なお、本実施形態では、使用者は、テキスト面Ｐ１を“テキスト”の読取条件で、絵柄面Ｐ２を“写真”の読取条件の下で、原稿の画像を読み取ることを希望している。そして、本実施形態では、使用者によって原稿の両面を異なる読取条件で読み取る読取モードが設定される。なお、読取条件が“テキスト”であれば、“原稿サイズがＡ４、解像度３００ｄｐｉ、モノクロ読取”、読取条件が“写真”であれば、“原稿サイズがＡ４、解像度１２００ｄｐｉ、カラー読取”といった内容が予め決められている。その読取条件はＲＯＭ１０１に記憶され、必要に応じてＣＰＵ１００がアクセス可能となっている。
【００９５】
図１０（Ａ）は、原稿の一方の面の読取条件入力画面と、図１０（Ｂ）は、原稿の他方の面の読取条件入力画面である。次に、ＣＰＵ１００は、Ｓ３０１にて設定された読取モードに応じて、図１０（Ａ）及び（Ｂ）の原稿の両面の読取条件入力画面を表示部２３に表示するように指示する（Ｓ３０２）。
【００９６】
すると、図１０（Ａ）が表示部２３に表示される。使用者は、操作部２１を操作して、“テキスト”、“写真”等の複数の読取条件のうち、１つの読取条件を入力できる。
【００９７】
本実施形態の例では、使用者は、テキスト面Ｐ１の読取条件を、操作部２１を介して、図１０（Ａ）のように“テキスト”の読取条件を入力する。すると、その入力された原稿の一方の面の読取条件として、ＲＡＭ１０２に記憶される。
【００９８】
使用者が一方の面の読取条件の入力を完了すると、次に、図１０（Ｂ）が表示部２３に表示される。本実施形態の例では、使用者は、絵柄面Ｐ２の読取条件を、操作部２１を介して、図１０（Ｂ）のように“写真”の読取条件を入力する。すると、その入力された原稿の他方の面の読取条件として、ＲＡＭ１０２に記憶される。
【００９９】
比較部として機能するＣＰＵ１００は、最初に入力された一方の面の読取条件と２番目に入力された他方の面の読取条件とに基づいて、それぞれ原稿を読み取るのに必要な記憶容量を求める。そして、ＣＰＵ１００は、該当する読取条件の下で原稿を読み取る際に必要な記憶容量として、どちらの面の記憶容量が大きいかを判断する（Ｓ３０３）。
【０１００】
本実施形態の説明では、最初に入力された原稿の一方の面の読取条件は、“テキスト”すなわち、Ａ４サイズの原稿、解像度３００ｄｐｉ、モノクロ読取の読取条件である。読取デバイス２１０、２３０がその読取条件の下で該面を読み取るのに必要な記憶容量は、約９Ｍバイトとなる。
【０１０１】
また、２番目に入力された原稿の他方の面の読取条件は、“写真”すなわち、Ａ４サイズの原稿、解像度１２００ｄｐｉ、カラー読取の読取条件である。読取デバイス２１０、２３０がその読取条件の下で該面を読み取るのに必要な記憶容量は、約４００Ｍバイトとなる。
【０１０２】
ゆえに、上述した本実施形態の例では、２番目に入力された他方の面の読取条件の方が最初に入力された一方の面の読取条件より、原稿を読み取るのに必要な記憶容量が大きい（Ｓ３０３：ＮＯ）。
【０１０３】
制御部として機能するＣＰＵ１００は、図１０（Ｃ）“読取条件を最初に設定した面が裏面となるように、給紙トレイに置いてください”という案内表示を表示部２３に表示するように制御する。すると、使用者は、テキスト面Ｐ１が裏面となるように、給紙トレイに原稿を置くことができる。
【０１０４】
次に、読取条件設定部として機能するＣＰＵ１００は、一方の面の読取条件“テキスト”を、読取デバイス２１０の読取条件として設定する（Ｓ３０５）。また、読取条件設定部として機能するＣＰＵ１００は、他方の面の読取条件“写真”を、読取デバイス２３０の読取条件として設定する（Ｓ３０６）。
【０１０５】
次に、ＣＰＵ１００は、ＲＡＭ１０２に裏面の読取データを記憶する領域として、領域を確保するよう指示する。第１実施形態の構成では、裏面の読取データを記憶部に記憶する領域として、原稿１枚分すなわち約９Ｍバイトの領域がＲＡＭ１０２に確保される。
【０１０６】
また、第２実施形態では、搬送経路１１１上の読取デバイス２１０と読取デバイス２３０との読取位置間の距離が約１０７ｍｍであったとする。すると、第２実施形態の構成では、裏面の読取データを記憶部に記憶する領域として、約６Ｍバイトの領域がＲＡＭ１０２に確保される。
【０１０７】
そして、Ｓ３０５およびＳ３０６で設定された読取条件の下で、ＣＰＵ１００は、読取デバイス２１０、２３０が原稿の両面を読み取るように制御する。なお、Ｓ３１１の処理は、第１実施形態では図６、第２実施形態では図７にそれぞれ対応する。
【０１０８】
図１０（Ａ）、（Ｂ）では、先にテキスト面Ｐ１の読取条件を入力し、後に絵柄面Ｐ２の読取条件を入力する例について説明した。今度は、図１０とは、逆に、先に絵柄面Ｐ２の読取条件を入力し、後にテキスト面Ｐ１の読取条件を入力する場合を考える。
【０１０９】
すると、最初に入力された一方の面の読取条件の方が、２番目に入力された他方の面の読取条件の方より、原稿を読み取るのに必要な記憶容量が大きい（Ｓ３０３：ＹＥＳ）。
【０１１０】
すると、制御部として機能するＣＰＵ１００は、“読取条件を２番目に設定した面が裏面となるように、給紙トレイに置いてください”という案内表示を表示部２３に表示するように制御する。すると、使用者は、テキスト面Ｐ１が裏面となるように、給紙トレイに原稿を置くことができる。結果として、Ｓ３０４と同じ原稿の給紙トレイへの載置方法となる。
【０１１１】
そして、読取条件設定部として機能するＣＰＵ１００は、他方の面の読取条件“テキスト”を、読取デバイス２１０の読取条件として設定する（Ｓ３０８）。また、読取条件設定部として機能するＣＰＵ１００は、一方の面の読取条件“写真”を、読取デバイス２３０の読取条件として設定する（Ｓ３０９）。そして、Ｓ３１０とＳ３１１の処理が実行される。
【０１１２】
Ｓ３０５とＳ３０８、Ｓ３０６、Ｓ３０９の読取条件の設定は、常に同じとなる。使用者が、いかなる順番で読取条件を入力したとしても、給紙トレイに載置する載置方向は常に一定となる。本実施形態の例では、常に、テキスト面Ｐ１が裏面となる給紙トレイの載
置方法が表示部２３に表示されることとなる。
【０１１３】
第１実施形態の読取装置１０（図２）の構成では、裏面の読取データ、即ち絵柄面Ｐ２の原稿１ページ分（４００Ｍバイト）を記憶するための容量をＲＡＭ１０２に確保する必要がない。ＲＡＭ１０２上に、裏面の読取データとしてテキスト面Ｐ１の原稿１ページ分（９Ｍバイト）確保するだけでよい。
【０１１４】
更に、第２実施形態の読取装置１０（図３）の構成では、ＲＡＭ１０２上に、裏面の読取データとして、テキスト面Ｐ１の図５（Ｂ）の斜線の分（６Ｍバイト）に相当するだけ確保するだけでよい。
【０１１５】
なお、本実施形態は単なる例示にすぎず、本発明を何ら限定するものではない。したがって、本発明は当然に、その要旨を逸脱しない範囲内で改良、変形が可能である。
【０１１６】
Ｓ３０１で設定される読取モードとして絵ハガキを読み取る絵ハガキ読取モードがある。そして、Ｓ３０１で読取モードが設定された場合には、Ｓ３０２の読取条件入力として図１１（Ａ）が表示される。絵ハガキはテキスト情報から構成されている宛名面と絵柄情報からなりたっている通信面とから構成されている、そのため、図１１（Ｂ）のように、絵ハガキの宛名面が裏面となる給紙トレイの載置方法が、表示部２３に表示されるようにしてもよい。
【０１１７】
また、Ｓ３０２における読取条件の入力方法としては、使用者は、操作部２１を利用して、解像度等の読取条件を詳細に設定してもよい。
【０１１８】
本実施形態の複合機では、表面の読取データを出力完了後、裏面の読取データを出力する構成であるが、裏面の読取データを出力完了後、表面の読取データを出力してもよい。
【符号の説明】
【０１１９】
１      ・・・  複合機
５      ・・・  本体部
１０    ・・・  読取装置
２０    ・・・  装置本体
２１    ・・・  操作部（読取条件入力部の一例）
２３    ・・・  表示部（案内表示部の一例）
３０    ・・・  ＡＤＦ
３２    ・・・  電話回線
１００  ・・・  ＣＰＵ（比較部、制御部の一例）
１０１  ・・・  ＲＯＭ
１０２  ・・・  ＲＡＭ
１０３  ・・・  デバイス制御部（読取条件設定部の一例）
１０６  ・・・  ＵＳＢ  Ｉ／Ｆ
１０７  ・・・  モデム
１０８  ・・・  ＮＣＵ
１０９  ・・・  バス
１１０  ・・・  給紙トレイ
１２１  ・・・  搬送ローラ（搬送部の一例）
１２２  ・・・  搬送ローラ（搬送部の一例）
１２３  ・・・  搬送ローラ（搬送部の一例）
１２４  ・・・  搬送ローラ（搬送部の一例）
１２５  ・・・  搬送ローラ（搬送部の一例）
１２６  ・・・  搬送ローラ（搬送部の一例）
１２７  ・・・  搬送ローラ（搬送部の一例）
１２８  ・・・  排紙ローラ
１２９  ・・・  排紙ローラ
１３０  ・・・  排紙トレイ
２１０  ・・・  読取デバイス（第１画像読取部の一例）
２１１  ・・・  ＡＦＥ
２２０  ・・・  原稿押え（裏面）
２３０  ・・・  読取デバイス（第２画像読取部の一例）
２３１  ・・・  ＡＦＥ
２４０  ・・・  原稿押え（表面）
３１０  ・・・  Ｆセンサ
３２０  ・・・  ＲＢセンサ
３３０  ・・・  Ｒセンサ
４０１  ・・・  表面用バッファ
４０２  ・・・  裏面用バッファ
５２３  ・・・  カーソル
Ｐ      ・・・  原稿
Ｐ１    ・・・  テキスト面
Ｐ２    ・・・  絵柄面
【図１】
2011216983.tif 000003
【図２】
2011216983.tif 000004
【図３】
2011216983.tif 000005
【図４】
2011216983.tif 000006
【図５】
2011216983.tif 000007
【図６】
2011216983.tif 000008
【図７】
2011216983.tif 000009
【図８】
2011216983.tif 000010
【図９】
2011216983.tif 000011
【図１０】
2011216983.tif 000012
【図１１】
2011216983.tif 000013